(57)【要約】【課題】低コストで簡易な構造の周長測定装置およびこれを用いた周長測定方法を提供する。【解決手段】メジャー４０はフレーム１２の、第１ガイド１８と第２ガイド２０の間に設けられた第５ガイド２２にガイドされ、第１ガイドと第５ガイドの間に揺動可能に設けられた第１アーム２８の先端に設けられた第３ガイド２４、第１ガイド１８とメジャーロール１６の間に揺動可能に設けられた第２アーム３０の先端に設けられた第４ガイド２６の順にガイドされる。メジャー４０の先端４０Ａは第４ガイド２６に固定され、被測定者５０の周長計測作業が終了するまで先端４０Ａが第４ガイド２６に保持される。メジャー４０は紙などの切断可能な素材で形成され、所定間隔毎に目盛が振られている。さらにメジャー４０は所定間隔ごとにミシン目４０Ｃが設けられ、ミシン目４０Ｃで切断することで形成された先端４０Ａは計測の際に原点として使用される。【選択図】図１
2009066220.tif 000002
【特許請求の範囲】
【請求項１】
枠状のフレームと、
前記フレームの一端に設けられた把持部と、
前記フレームに回転可能に設けられ、メジャーが巻き取られたメジャーロールと、
前記フレームの他端に設けられ、前記メジャーをガイドする固定ガイド部材と、
前記フレームに揺動可能に支持され、前記固定ガイド部材にガイドされたメジャーの先端部を保持する可動ガイド部材と、
を備えたことを特徴とする周長測定装置。
【請求項２】
枠状のフレームと、
前記フレームの一端に設けられた把持部と、
前記フレームに回転可能に設けられ、メジャーが巻き取られたメジャーロールと、
前記メジャーロールと前記フレームの他端との間に設けられ、前記メジャーをガイドする第１のガイド部材と、
前記フレームの他端に設けられ、前記メジャーをガイドする第２のガイド部材と、
前記フレームの他端と前記メジャーロールとの間に揺動可能に支持され先端に前記メジャーをガイドする第３のガイド部材が設けられた第１のアームと、
前記フレームの、前記第１のアームと前記メジャーロールとの間に揺動可能に支持され先端に前記メジャーの先端部を保持する第４のガイド部材が設けられた第２のアームと、
前記フレームの、前記第２のガイド部材と前記第１のアームの間に設けられ、前記メジャーをガイドする第５のガイド部材と、
を備え、
前記メジャーは前記第１のガイド部材と、前記第２のガイド部材と、前記第５のガイド部材と、前記第３のガイド部材と、前記第４のガイド部材の順にガイドされることを特徴とする周長測定装置。
【請求項３】
前記フレームには手動で揺動され前記第２アームを押圧する揺動アームが設けられていることを特徴とする請求項２に記載の周長測定装置。
【請求項４】
前記第４のガイド部材は先端に前記メジャーへの印字手段を備えたことを特徴とする請求項２〜請求項３の何れか１項に記載の周長測定装置。
【請求項５】
前記メジャーは切断可能な素材で形成され、所定間隔ごとにゼロ点が印字されたことを特徴とする請求項１〜請求項４の何れか１項に記載の周長測定装置。
【請求項６】
前記メジャーは切断可能な素材で形成され、所定間隔ごとにミシン目が設けられたことを特徴とする請求項１〜請求項５の何れか１項に記載の周長測定装置。
【請求項７】
請求項２〜請求項６に記載の周長測定装置を使用し、前記メジャーは先端を前記第４のガイド部材で把持され、前記第２のガイド部材でガイドされる部分の前記メジャーと付き合わせることで被測定物の周長を計測することを特徴とする周長測定方法。
【発明の詳細な説明】
【技術分野】
【０００１】
本発明は周長測定装置および周長測定方法に関し、特にメジャーを被測定者に巻き付け腹囲、胸囲等の寸法を測定する周長測定装置および周長測定方法に関する。
【背景技術】
【０００２】
近年、長寿命化に伴う健康管理の必要性が重要視され、特にメタボリック症候群およびこれに起因する種々の疾病等に関する関心が高まっている。とりわけ腹囲寸法の測定は皮下脂肪量と密接な関わりがあるため、健康管理における重要な指標の一つとされており、健康診断時の測定項目としての重要性は従来に増して大きい。
【０００３】
従来、健康診断時等で腹囲を測定する際はメジャーを被測定者の胴に巻き付け、腹囲寸法を直接測定するのが通常である。しかし上記測定法においてはメジャーによる腹囲測定一回ごとにメジャーをアルコールなどで消毒する必要があり、特に被測定者の数が多い場合は作業が繁雑になり工数も増えてしまう。
【０００４】
これに対して、ベルトのバックル部分にエンコーダ（センサ）を設けたベルトを使用して被測定者の腹囲寸法を測定する方法が提案されている（例えば、特許文献１参照）。しかし上記の方法でも、測定器具の直接被測定者に接触した部位は消毒する必要があり、かつ測定器具のコストが増加する虞がある。
【０００５】
あるいは測定対象に周囲長計測用の帯を巻きつけ、デジタルカメラを用いて画像を取り込み、電子的に計測する構成が提案されている（例えば、特許文献２参照）。この方法では非接触式に被測定者の腹囲寸法を計測できるので消毒の手間を必要とせず、測定者の負担も軽減できるが、装置のサイズが大きく、やはりコストが増加する虞がある。
【特許文献１】特開２０００−１５５０３７号公報
【特許文献２】特開２００４−１４４７２７号公報
【発明の開示】
【発明が解決しようとする課題】
【０００６】
本発明は上記事実を考慮し、低コストで簡易な構造の周長測定装置およびこれを用いた周長測定方法を提供することを目的とする。
【課題を解決するための手段】
【０００７】
請求項１に記載の周長測定装置は、枠状のフレームと、前記フレームの一端に設けられた把持部と、前記フレームに回転可能に設けられ、メジャーが巻き取られたメジャーロールと、前記フレームの他端に設けられ、前記メジャーをガイドする固定ガイド部材と、前記フレームに揺動可能に支持され、前記固定ガイド部材にガイドされたメジャーの先端部を保持する可動ガイド部材と、を備えたことを特徴とする。
【０００８】
上記構成の発明では、フレームに設けられた把持部を把持し、メジャーロールから引き出したメジャーをフレームの先端に設けられた固定ガイド部材でガイドしつつ可動ガイド部材を付勢することで容易に被測定物または被測定者の周長を計測できる。
【０００９】
請求項２に記載の周長測定装置は、枠状のフレームと、前記フレームの一端に設けられた把持部と、前記フレームに回転可能に設けられ、メジャーが巻き取られたメジャーロールと、前記メジャーロールと前記フレームの他端との間に設けられ、前記メジャーをガイドする第１のガイド部材と、前記フレームの他端に設けられ、前記メジャーをガイドする第２のガイド部材と、前記フレームの他端と前記メジャーロールとの間に揺動可能に支持され先端に前記メジャーをガイドする第３のガイド部材が設けられた第１のアームと、前記フレームの、前記第１のアームと前記メジャーロールとの間に揺動可能に支持され先端に前記メジャーの先端部を保持する第４のガイド部材が設けられた第２のアームと、前記フレームの、前記第２のガイド部材と前記第１のアームの間に設けられ、前記メジャーをガイドする第５のガイド部材と、を備え、前記メジャーは前記第１のガイド部材と、前記第２のガイド部材と、前記第５のガイド部材と、前記第３のガイド部材と、前記第４のガイド部材の順にガイドされることを特徴とする。
【００１０】
上記構成の発明では、フレームに設けられた把持部を把持し、メジャーロールから引き出したメジャーをフレームの先端に設けられた固定ガイド部材でガイドしつつ２本のアーム先端に設けられたガイド部材を付勢することで容易に被測定物または被測定者の周長を計測できる。
【００１１】
請求項３に記載の周長測定装置は、前記フレームには手動で揺動され前記第２アームを押圧する揺動アームが設けられていることを特徴とする。
【００１２】
上記構成の発明では、揺動アームを用いることで、第２アームを持たずに被測定物または被測定者に付勢できるので、本構成を有していない場合と比較して容易に測定作業を行うことができる。
【００１３】
請求項４に記載の周長測定装置は、前記第４のガイド部材は先端に前記メジャーへの印字手段を備えたことを特徴とする。
【００１４】
上記構成の発明では、第４のガイド部材に印字手段を設けたことで、測定箇所への印字が可能となり、本構成を有していない場合と比較して容易にメジャーへの測定箇所のマーキングが可能となる。
【００１５】
請求項５に記載の周長測定装置は、前記メジャーは切断可能な素材で形成され、所定間隔ごとにゼロ点が印字されたことを特徴とする。
【００１６】
上記構成の発明では、所定間隔ごとにゼロ点を印字され切断可能な素材で形成されたメジャーを用いることで、ゼロ点にてメジャーを切断でき、第４のガイド部材で常にゼロ点をメジャーの先端とすることができる。
【００１７】
請求項６に記載の周長測定装置は、前記メジャーは切断可能な素材で形成され、所定間隔ごとにミシン目が設けられたことを特徴とする。
【００１８】
上記構成の発明では、メジャーに所定間隔毎にミシン目を設けたことで、本構成を有していない場合と比較してメジャーを所定位置で切断しやすくできる。
【００１９】
請求項７に記載の周長測定方法は、請求項２〜請求項６に記載の周長測定装置を使用し、前記メジャーは先端を前記第４のガイド部材で把持され、前記第２のガイド部材でガイドされる部分の前記メジャーと付き合わせることで被測定物の周長を計測することを特徴とする。
【００２０】
上記構成の発明では、フレームに設けられた把持部を把持し、メジャーロールから引き出したメジャーをフレームの先端に設けられた固定ガイド部材でガイドしつつ可動ガイド部材を付勢し、第２のガイド部材でガイドされる部分の前記メジャーと付き合わせる構成とすることで、容易に被測定物または被測定者の周長を計測できる。
【発明の効果】
【００２１】
本発明は上記構成としたので、低コストで簡易な構造の周長測定装置およびこれを用いた周長測定方法とすることができた。
【発明を実施するための最良の形態】
【００２２】
＜装置概要＞
図１には本発明の実施形態に係る周長測定装置が示されている。
【００２３】
図１に示すように、周長測定装置１０は弧状のフレーム１２の一端に設けられた把持部１４と、その近傍に回転可能に軸支されたロールテープ状のメジャーロール１６を備えている。
【００２４】
メジャーロール１６から引き出されたテープ状のメジャー４０はまずフレーム１２の中央近傍に設けられた第１ガイド１８にガイドされ、フレーム１２に沿う形でフレーム１２の先端に設けられた第２ガイド２０にガイドされ、フレーム１２の弧の内側へと向かう。
【００２５】
次いでメジャー４０はフレーム１２の、第１ガイド１８と第２ガイド２０の間に設けられた第５ガイド２２にガイドされ、第１ガイドと第５ガイドの間に揺動可能に設けられた第１アーム２８の先端に設けられた第３ガイド２４、第１ガイド１８とメジャーロール１６の間に揺動可能に設けられた第２アーム３０の先端に設けられた第４ガイド２６の順にガイドされる。
【００２６】
メジャー４０の先端４０Ａは第４ガイド２６に固定され、メジャーロール１６からメジャー４０が引き出される際に印加される張力に対して、被測定者５０の周長計測作業が終了するまで先端４０Ａが第４ガイド２６に保持される。
【００２７】
メジャー４０は紙などの切断可能な素材で形成され、所定間隔毎に目盛が振られている。さらにメジャー４０は所定間隔ごとにミシン目４０Ｃが設けられ、ミシン目４０Ｃで切断することで形成された先端４０Ａは計測の際に原点として使用される。
【００２８】
図２には本発明の実施形態に係る周長測定装置のメジャーロール近傍構造が示されている。
【００２９】
図２に示すように、フレーム１２には保持部１７が設けられ、保持部１７の軸１７Ｃによってメジャーロール１６が回転可能に軸支されている。メジャーロール１６にはギア１６Ａが設けられ、保持部１７に設けられバネ１７Ｂでギア１６Ａに付勢された爪１７Ａが噛み合うことでワンウエイクラッチ機構を構成し、メジャー４０引出し時の張力によるメジャーロール１６の過回転を防ぐ。
【００３０】
第１アーム２８および第２アーム３０はそれぞれ軸２８Ａおよび軸３０Ａにて揺動可能に支持され、バネ２９およびバネ３１でフレーム１２側に付勢されている。このためメジャー４０をガイドする第３ガイド２４および第４ガイド２６はメジャー４０を引き出し、張力を印加する方向に付勢される。
【００３１】
図３には本発明の実施形態に係る周長測定装置の揺動アーム構造が示されている。
【００３２】
図３に示すように、フレーム１２の一端に設けられた把持部１４の近傍にはベース３２が設けられ、レバー３４を軸３４Ａで回転可能に軸支している。レバー３４は把持部１４を右手で把持した際に親指が掛かる位置にあり、一端をフレーム１２側に押すことで軸３４Ａを中心に回転し、他端はフレーム１２から遠ざかる方向に移動する。
【００３３】
ベース３２と第２アーム３０との間のフレーム１２上に軸３６Ａで回転可能に設けられた揺動アーム３６は、一端をワイヤー３５でレバー３４の他端と連結されている。レバー３４の他端がフレーム１２から遠ざかることで図中斜線矢印のように揺動アーム３６の一端はベース３２側に引かれ、軸３６Ａを挟んだ他端３６Ｂは第２アーム３０をフレーム１２の弧の内側に付勢する。
【００３４】
これにより、作業者が把持部１４を右手で把持し、レバー３４を親指で押圧することで第２アーム３０をバネ３１の張力に対抗して被測定者５０側に付勢することができる。このため作業者は右手のみで周長測定装置１０を把持しながら後述する周長測定作業を開始することができる。
【００３５】
第２アーム３０の先端に設けられた第４ガイド２６はメジャー４０の先端４０Ａを把持する構造となっており、具体的には先端４０Ａを押圧して固定するクリップ構造やピンで穿孔し固定する構造、あるいは粘着表面や摩擦を利用して先端４０Ａを固定する構造などでもよい。
＜計測手順＞
図４〜図６には本発明の実施形態に係る周長測定装置による被測定者の周長計測作業が示されている。
【００３６】
図４に示すように、作業者は把持部１４を把持し被測定者５０の周囲を囲むように弧状のフレーム１２を位置させ、第２ガイド２０、第５ガイド２２の２点を通るメジャー４０を被測定者５０の周囲に沿わせる形で付勢しながら接触させる。
【００３７】
さらに第１アーム２８、第２アーム３０をフレーム１２の弧の内側に揺動させ、それぞれの先端に設けられた第３ガイド２４、第４ガイド２６を被測定者５０の周囲に接触させる。これにより第２ガイド２０から第４ガイド２６までの間でガイドされたメジャー４０は被測定者５０の周囲に沿う形で被測定者５０に接触する。このとき上記の揺動アーム機構を用いて、作業者は把持部１４を把持した手で第２アーム３０を被測定者５０側に付勢するようにしてもよい。
【００３８】
次いで図５に示すように第２ガイド２０からメジャー４０を引出し、第４ガイド２６に固定されているメジャー４０の先端４０Ａに付き合わせ、打刻あるいは印字を行うことで計測位置４０Ｂとする。メジャー４０の先端４０Ａは第４ガイド２６に固定されているので、計測位置４０Ｂまでのメジャー４０の長さが被測定者５０の周長となる。作業者が把持部１４を被測定者５０の腹部高さに維持して計測作業を行えば、被測定者５０の腹囲を計測することができる。
【００３９】
次に第４ガイド２６における先端４０Ａの固定を解除し、図６に示すようにメジャー４０を引出すことで計測位置４０Ｂを含む部分が第４ガイド２６より送り出される。メジャー４０には所定間隔ごとにミシン目４０Ｃが設けられているので、計測位置４０Ｂを引き出した時点から次に引き出されるミシン目４０Ｃにおいてメジャー４０を切断し、第４ガイド２６にて固定する。
【００４０】
このミシン目４０Ｃをゼロ点とするように目盛を印字され、切断可能な素材で形成されたメジャー４０を用いることで、ミシン目４０Ｃ（＝ゼロ点）にてメジャー４０を切断でき、第４ガイド２６で常にゼロ点をメジャー４０の先端４０Ａとすることができる。
【００４１】
これにより第４ガイド２６には、再度先端４０Ａとしてメジャー４０の先端部分が固定され、これを原点として次の計測作業を行う。引き出され切断された計測位置４０Ｂを含むメジャー４０は、原点となる先端４０Ａから計測位置４０Ｂまでを含むので、計測位置４０Ｂでメジャー４０に印字された目盛の数値が被測定者５０の周長となる。
＜作用効果＞
本発明は上記構成としたので、以下のような優れた効果を有する。
【００４２】
すなわち、ロールテープ状のメジャーロール１６から引き出されたメジャー４０を第１アーム２８と第２アーム３０の先端に設けられた第３ガイド２４と第４ガイド２６でガイドしつつ被測定者５０の周囲に巻き付ける構造とすることにより、作業者は片手で把持部１４を把持しながら第２アーム３０を被測定者５０側に付勢し、第２ガイド２０から第４ガイド２６までメジャー４０を引っ張ることで被測定者の周囲にメジャー４０を巻き付けることができる。
【００４３】
これにより測定者は周長測定装置１０を把持し、第２アーム３０を付勢しつつ第２ガイド２６からテープを引っ張る作業のみで、被測定者５０のサイズ等に拘わらず周長測定作業を行うことができ、被測定者５０の周囲に腕を回す必要もなくなる。簡易な構造の周長測定装置１０を用いて作業者の負担を軽減することができる。
【００４４】
また、切断可能な素材で形成されたメジャー４０を一回の測定ごとに切断し、新たに引き出して測定する構造としたことで、メジャー４０の消毒作業を不要とし、通常のメジャーを使用する方法と比較して工数を削減する効果がある。
＜その他＞
以上、本発明の実施例について記述したが、本発明は上記の実施例に何ら限定されるものではなく、本発明の要旨を逸脱しない範囲において種々なる態様で実施し得ることは言うまでもない。
【００４５】
すなわち本実施形態では人体の周長、特に腹囲を測定する周長測定装置を例に挙げたが、これに限定せず略円筒形の形状であれば周長をメジャーで測定する種々の装置に応用することもできる。
【図面の簡単な説明】
【００４６】
【図１】本発明の第１実施形態に係る周長測定装置を示す図である。
【図２】本発明の第１実施形態に係る周長測定装置の一部を示す拡大図である。
【図３】本発明の第１実施形態に係る周長測定装置の一部を示す拡大図である。
【図４】本発明の第１実施形態に係る周長測定装置の使用法を示す図である。
【図５】本発明の第１実施形態に係る周長測定装置の使用法を示す図である。
【図６】本発明の第１実施形態に係る周長測定装置の使用法を示す図である。
【符号の説明】
【００４７】
１０ 周長測定装置
１２   フレーム
１３   対向ロール
１４   把持部
１６   メジャーロール
１７Ｂ バネ
１７Ｃ 軸
１７Ａ 爪
１７   保持部
１８   第１ガイド
２０   第２ガイド
２２   第５ガイド
２４   第３ガイド
２６   第４ガイド
２８   第１アーム
２８Ａ 軸
２９   バネ
３０   第２アーム
３０Ａ 軸
３１   バネ
３２   ベース
３４   レバー
３４Ａ 軸
３５   ワイヤー
３６Ａ 軸
３６   揺動アーム
４０Ｃ ミシン目
４０   メジャー
４０Ｂ 計測位置
４０Ａ 先端
５０   被測定者 
【図１】
2009066220.tif 000003
【図２】
2009066220.tif 000004
【図３】
2009066220.tif 000005
【図４】
2009066220.tif 000006
【図５】
2009066220.tif 000007
【図６】
2009066220.tif 000008